(57)【要約】【課題】提灯本体とそれを固定する部材との組み立て、分解が簡単で、様々な形態で使用することが出来、しかも、特別な脚部が無くとも安定して自立し、外力を受けて一時的に倒れかけても起立した状態に自ずと復帰して自立する提灯。【解決手段】提灯は、その底部をなす基台２の底面の少なくとも中央部が提灯全体の重心Ｇの位置より高い位置に曲率中心を有する突状曲面形となっており、この底面１５を床上に置いて設置する。さらに、火袋１の上下の口部分に上輪や下輪を設けず、まず火袋１の下端部については、その下端開口部５を基台２の周縁に掛けて固定する。他方、火袋１の上端部には、支柱受け７を設け、この支柱受け７に基台２から立設した支柱３の上端を着脱自在に受ける。そして支柱３の中間部に設けた弾性部材１８により、支柱３の上端を上方を弾力的に押し上げ、火袋１に張力を与えて張る。【選択図】図２
2011175944.tif 000002
【特許請求の範囲】
【請求項１】
灯火（８）を保持した基台（２）と、この灯火（８）を覆うように張られる火袋（１）とを有する提灯において、提灯の底部をなす基台（２）の底面の少なくとも中央部に提灯全体の重心（Ｇ）の位置より高い位置に曲率中心を有する突状曲面形を有する底面（１５）を形成し、この底面（１５）を床上に置いて設置することを特徴とする提灯。
【請求項２】
火袋（１）は、その下端開口部（５）を基台（２）の周縁（９）に掛けてその外側に嵌め込み、基台（２）に立設した支柱（３）に火袋（１）の上端部に設けた支柱受け（７）を掛けると共に、支柱（３）が有する弾力により前記火袋（１）に張力を与えてに張られていることを特徴とする請求項１に記載の提灯。
【請求項３】
基台（２）の上に電源（６）と、この電源（６）と灯火（８）との電源回路を開閉するセンサースイッチ（１４）とを設けたことを特徴とする請求項１または２に記載の提灯。
【発明の詳細な説明】
【技術分野】
【０００１】
本発明はいわゆる火皿と呼ばれる基台と、この基台から立設された支柱と、これら基台と支柱とを覆うように張られる筒状の火袋とを有する提灯に関する。さらに詳しくは、簡単に組み立て、分解が可能であり、しかも安定して自立可能であるため、葬祭用としてはもちろん、照明、広告、装飾等、様々な分野で簡便に使用出来る提灯に関する。
【背景技術】
【０００２】
提灯には、床置き形、吊り下げ形、弓張り形等、様々のものがあるが、提灯本体は基本的には共通する構造となっている。竹ひごをで骨組みを作り、その外側に和紙や絹布等を張り、筒状の火袋を作る。この火袋の上下の口部分に輪状の上輪と下輪を取り付けたのが提灯の本体となる。
【０００３】
さらに例えば行灯形の盆提灯であれば、ロクロや火皿と呼ばれる基台に上足と呼ばれる２本の支柱を立て、この支柱を覆うように前記の筒状の火袋を嵌め込む。基台は一般的には円板状で中心部に蝋燭や電灯を立てるための突起や孔を有し、下面に下足と呼ばれる通常３本の脚を取り付ている。支柱は火皿の上面に通常は二本立設され、その上端に提灯の上輪を紐で吊り下げ、雲手と呼ばれる横梁で支柱の上端を互いに固定する。提灯の下輪は留め金等で基台に固定する。提灯を分解するときは、この逆の手順で雲手、火袋、支柱、火皿を分離し、火袋を折り畳んで箱等に収納する。
【０００４】
また、吊り下げ形の盆提灯では、手板と呼ばれる横棒に提灯の上輪を紐で吊し、手板を天井或いは柱等から吊り下げる。さらに、祭に多く使用される祭提灯では、手板は使わず、上輪を軒や天井から吊り下げて使用する。迎え提灯や携帯用提灯に使用される弓張り形の提灯は、弓状の取っ手の両端に提灯の上輪と下輪を固定して使用する。これらの提灯の場合、下輪の底板が火皿として使用される。
提灯にはこのように様々な形態があるが、基本的に取付形態に違いがあるだけで、提灯本体そのものは、火袋の上下の口に上輪と下輪を取り付けた構造に違いは無い。
【０００５】
各種の提灯は、歴史的背景があってそれらの設置形態が考案され、発展してきたものであるが、何れも火皿や支柱への取り付け、取り外しが複雑で面倒であるという課題がある。また、床置き形のものは床置き、吊り下げ形のものは吊り下げと、使用形態が限定され、任意の使用形態を選択することが出来なかった。
【０００６】
このような従来の提灯に対し、本件発明者らは、下記特許文献１に記載されたような提灯を提案した。この提灯は、基台から支柱を立設し、これら基台と支柱とを覆うように火袋を張る。このとき、火袋の下端部を基台の周縁に掛けてその外側に嵌め込み、火袋の上端部に支柱の上端を掛ける。この状態で支柱の中間部に設けた弾性部材で火袋に張力を与え、この火袋を広げた状態で張る。
【０００７】
この提灯は、提灯本体とそれを固定する部材との組み立て、分解が簡単で、様々な形態で使用することが出来、葬祭用としてはもちろん、照明、広告、装飾等、様々な分野で簡便に使用することが出来る。ただし、それを床上に設置するためには、脚部が必要であり、安定した設置のためには、バランスが取れた脚部の配置が必要である。
【先行技術文献】
【特許文献】
【０００８】
【特許文献１】特開２００７−２６５６２８号公報
【特許文献２】特開２００３−２７５０９０号公報
【特許文献３】特開２００２−３１９３０２号公報
【特許文献４】特開２００１−２１８６７０号公報
【特許文献５】特開平１１−１２０８０２号公報
【特許文献６】特開平９−９７５０４号公報
【発明の開示】
【発明が解決しようとする課題】
【０００９】
本発明は、前記従来の提灯が有する課題に鑑み、提灯本体とそれを固定する部材との組み立て、分解が簡単で、様々な形態で使用することが出来、しかも、特別な脚部が無くとも安定して自立し、外力を受けて一時的に倒れかけても起立した状態に自ずと復帰して自立する提灯を提供することを目的とする。
【課題を解決するための手段】
【００１０】
本発明では、前記の目的を達成するため、火袋１の下端部と上端部を基台２とこの基台２から立設した支柱３の上端とのより支持すると共に、支柱３に設けた弾性部材１８の弾力により火袋１に張力を与えて火袋２を張るようにした。加えて、基台２の底面１５の少なくとも中央部を突状曲面形とし、且つその底面１５の突状曲面形の曲率中心を提灯全体の重心Ｇより高い位置に設定した。
【００１１】
すなわち、本発明による提灯は、提灯の底部をなす基台２の底面の少なくとも中央部が提灯全体の重心Ｇの位置より高い位置に曲率中心を有する突状曲面形となっており、この底面１５を床上に置いて設置する。
さらに火袋１は、その上下の口部分に上輪や下輪を設けず、まず火袋１の下端部については、その下端開口部５を基台２の周縁に掛けて固定する。他方、火袋１の上端部には、支柱受け７を設け、この支柱受け７に基台２から立設した支柱３の上端を着脱自在に受ける。そして支柱３が有する弾力により、火袋１に張力を与えて張る。
【００１２】
このような本発明による提灯では、火袋１の上下の口部分に上輪や下輪が必要なくなり、火袋１の下端の開口部５を基台２の周縁９に掛けることで、火袋１を基台２に直接取り付けることが出来る。そして火袋１の上端の支柱受け７に基台２から立設した支柱３の上端を着脱自在に掛け、支柱３の中間部に設けた弾性部材１８により、支柱３の上端を上方を弾力的に押し上げ、火袋１に張力を与えることにより、火袋１の形を整え、保持することが出来る。これにより、提灯を簡単に組み立てることが出来、逆の手順で簡単に分解することが出来る。
【００１３】
さらにこの提灯では、基台２の底面１５の少なくとも中央部が提灯全体の重心Ｇの位置より高い位置に曲率中心を有する突状曲面形となっており、この底面１５を床上に置いて設置することにより、提灯が外力を受けて一時的に傾いても、重心Ｇにかかる重力と突状曲面形を有する基台１の底面１５が床から受ける反力とのモーメントにより、元の立った状態に戻って自立するため、安定して自立させることが可能となる。また、基台２の上に電源６と、その電源回路を開閉するセンサースイッチ１４とを設けるていることにより、火袋１の外部からセンサースイッチ１４が閉動作するような何らかの物理的変化を与えることで、灯火８の点滅を行うことも出来る。
【発明の効果】
【００１４】
以上説明した通り、本発明による提灯では、簡単に組み立て、分解が出来ると共に、設置した時に安定して自立するので、葬祭、広告、祭礼等の目的で適宜形態を選んで安定した起立状態で使用することが出来る。また、基台２に取り付けた支柱３の高さを変えることで、異なる形状の火袋を同じ基台２で使用出来る等、使用形態のバリエーションを多岐にすることも出来る。
【発明を実施するための最良の形態】
【００１５】
本発明では、火袋１の上下の口部分に上輪や下輪を設けず、火袋１の上下の口部分を基台２と支柱３の上端に直接取り付け、支柱３に設けた弾性部材１８により火袋１に張力を与え、火袋１の形を整えて保持出来るようにした。さらに、基台２の底面１５の少なくとも中央部を突状曲面形とし、その曲率中心を提灯の重心Ｇより高く設定することで、安定した設置を可能とした。
【００１６】
以下、本発明を実施するための最良の形態について、実施例をあげて詳細に説明する。
図１と図２に、本発明の一実施例による提灯の全体を示しており、図３〜図５に同実施例による提灯の各部の拡大図を示している。これらの図に示すように、提灯は、火袋１、基台２及び支柱３を備えている。
【００１７】
火袋１は、提灯の外形を形成する殻状の部分である。この火袋１は、型を使って竹ひご等の線材で作った多数の輪を上下に並べて配置するか、或いは型を使って１本につなぎ合わせた線材を上下に螺旋状に配置する等して、骨組みを形成している。そして、その骨組みの外側に紙や布等を貼って火袋１としている。火袋１の下端部は下端開口部５となっており、その部分は線材の輪からなる骨組みを密に重ねてある。この火袋１の下端開口部５は、それに何の力も与えないと円形になっているが、径方向に力を加えると扁平させることが出来る等、変形が可能である。火袋１の下端開口部５より上の部分は、漸次径が大きくなって、外側に曲面をもってふくらみが与えられている。
【００１８】
この火袋１の上端部は閉じており、その上端部内面には円板状の支柱受け７が設けられている。この支柱受け７を有する火袋１の上端部の詳細を図４に示している。支柱受け７は、上面が突状曲面となっていて、その上面が火袋１の上端部内面に接着等の手段で固定されている。この支柱受け７の下面には、後述する支柱３の上部支柱１１の上端を嵌め込むための凹部１６が設けられている。この支柱受け７は、透明で光を通すものがよい。
このように構成された図１と図２に示した火袋１は、全体として有底無蓋の鶏卵状の形状を呈している。
【００１９】
図１〜図３に示すように、基台２は、火皿やロクロと呼ばれるもので、その外径は、火袋１の下端開口部５の径よりやや大きくなっている。図示の例では、基台２は円板形であり、その周縁９は丸く面取りされている。これに対応して火袋１の下端開口部５もこれよりやや径の小さな円形である。この基台２の上面は平坦であり、底面１５は突状の曲面となっている。具体的には、底面１５の少なくとも中央部は、曲率半径Ｒの突状球面形となっており、その曲率半径Ｒの中心は基台２の上面中央部の上にある。この突状球面形の部分は、基台２の底面１５の全体で及んでいても、またその中央部のみであっても、何れでもよい。
【００２０】
基台２の上面には、灯火８とそれを点灯するための電源回路が構成されている。電源回路は電池等の電源６と主スイッチ５及びセンサースイッチ１４を含み、主スイッチ５が閉（オン）の状態でセンサースイッチ１４の開閉（オン−オフ）により、灯火８に電源６が接続、遮断され、灯火８が点滅する。灯火８としては、消費電力が小さいＬＥＤランプが使用される。センサースイッチ１４としては、人の拍手等の衝撃音を検知して閉動作する衝撃感知スイッチ、光を検知して開動作する光センサースイッチ、或いは人の存在を検知して閉動作する人感センサースイッチと呼ばれる赤外線感知スイッチ等が使用出来る。
【００２１】
基台２の中央からは支柱３が立設されている。この支柱３はパイプ状のもので、基台２からネジ止め等の手段で立設された下部支柱１０と、その上端に着脱自在に嵌め込んで継ぎ合わせられる上部支柱１１との２段構造となっている。上部支柱１１の少なくとも下端部の外径は、下部支柱１０の少なくとも上端部の内径より僅かに細くなっており、支柱１１の下端部を、下部支柱１０の上端部に差し込むことにより継ぎ合わせられる。
【００２２】
図１、図２及び図５に示すように、下部支柱１０の上端部近くには、弾性部材１８として圧縮バネが組み込まれている。この弾性部材１８は、下部支柱１０の上端に嵌め込まれた上部支柱１１の下端に当たり、上部支柱１１が下方に押し込まれると、その押し込まれた深さに比例した弾力が付勢される。これにより、支柱３に弾力が付与される。
【００２３】
次に、このような構成からなる提灯について、基台２と支柱３とに火袋１を取り付ける手順について説明する。
まず予め、図１に示すように、支柱３に下部支柱１０を取り付け、さらにこの下部支柱１０の上に上部支柱１１の下端を差し込んで支柱３を継ぎ合わせる。この状態で火袋１をその下端開口部５から支柱３に被せ、図４に示すように、その火袋１の上端の支柱受け７の凹部１６に上部支柱１１の上端を嵌め込む。
【００２４】
次に、上部支柱１１を押し下げて弾性部材１８を圧縮させながら、火袋１を下方に延ばす。そして火袋１の下端開口部５をやや変形させると共に、基台２に対してやや斜めに傾けながらその下端開口部５の中に基台２を嵌め込む。そして、下端開口部５を原形に復帰させてその内側に基台２の周縁９が嵌め込まれた状態で落ち着くようにその姿勢を整える。これにより図２、図３に示すように、提灯の組み立てが完了する。
この状態では、火袋１の下端開口部５に基台２の周縁９が掛かると共に、支柱３に内装した弾性部材１８の弾力で支柱３が伸張し、その弾力で火袋１に張力が与えられるため、火袋１の形が張った状態となり、鶏卵形の提灯としての形が維持される。
【００２５】
図２と図３に示すように、この提灯の全体の重心Ｇは、基台２の部分或いはそれに近い低い位置にある。これに対して、基台１の底面１５の突状曲面の曲率半径Ｒの中心はこれより高い位置にある。従って、中央部にこの突状曲面形を有する基台１の底面１５を床上に当てて提灯を設置すれば、常に提灯が起立した状態を安定して保持することが出来る。仮に提灯に外力が与えられ、一時的に傾いたとしても、重心Ｇにかかる重力と突状曲面形を有する基台１の底面１５が床から受ける反力とのモーメントにより、提灯が起立した元の姿勢に直ぐに復帰する。
【００２６】
灯火８の電源回路の主スイッチ５は、火袋１を取り付ける前に予め閉（オン）にしておく。この状態では、センサースイッチ１４が人の拍手等の衝撃音を検知して閉動作する衝撃感知スイッチの場合、拍手等の衝撃音を検知して灯火８が点灯する。また、センサースイッチ１４が光を検知して開動作する光センサースイッチの場合、周囲が暗くなったことを検知して灯火８が点灯する。或いはセンサースイッチ１４が人の存在を検知して閉動作する人感センサースイッチの場合、近くに人が居る時に灯火８が点灯する。
【００２７】
火袋１を基台２と支柱３から分解するときは、前記とは逆の手順で行う。すなわち、火袋掛１３の下端開口部５を基台２の周縁９から外し、続いて火袋１を上方に折り畳みながら火袋１の支柱受け７を支柱３の上部支柱１１の上端から外す。その後、支柱３の下部支柱１０から上部支柱１１を抜く。さらに基台２から支柱３の下部支柱１０も取り出すとさらにコンパクトに分解することが出来る。
【００２８】
図６〜図９は、本発明による提灯の第二の実施形態を示している。この提灯もその基本的構成は図１〜図５により前述した提灯と基本的に同じであり、その基本構成は、火袋１、基台２及び支柱３からなる。図１〜図５により前述した提灯と対応する部分は同じ符合で示している。
【００２９】
この提灯の火袋１は、前述のものと同様に、型を使って竹ひご等の線材で作った多数の輪を上下に並べて配置するか、或いは型を使って１本につなぎ合わせた線材を上下に螺旋状に配置する等して、骨組みを形成し、その外側に紙や布等を貼ったものである。火袋１の底部は下端開口部５となっており、その部分は線材の輪からなる骨組みを密に重ねてある。図６と図７に示すように、この実施形態による提灯の火袋１は瓶形である。
【００３０】
さらにこの火袋１の上端部は、開口した口になっており、その部分は線材の輪からなる骨組みを密に重ねてある。さらにこの火袋１の上端開口部には、円板状の支柱受７が嵌め込まれ、接着等の手段で固定されている。この支柱受７の詳細を図８と図９に示している。この支柱受７は、中心から偏って比較的径の大きな挿入孔２０が設けられ、この挿入孔２０から支柱受７の中心に向かってその挿入孔２０の径より幅の狭いスリット２１が設けられている。
【００３１】
基台２とこの基台２の中央から立設された支柱３は前述した実施形態のものと全く同じであり、その詳細な説明は省略する。但し、支柱３の上部支柱１１の上端は、前述した実施形態のものと若干異なっている。この支柱３の上部支柱１１の上端には、火袋３の支柱受７を着脱自在に掛ける火袋掛１３が取り付けられている。この火袋掛１３は、ワッシャ等からなるフランジを中間部に有し、その上に頭部を設けたピン状のもので、上部支柱１１の上端にネジ等の手段で取り付けられている。図８に示すように、この火袋掛１３の中間部のフランジは、火袋１の上端の支柱受７の挿入孔２０より径が小さい。また、その火袋掛１３のフランジの径は、火袋１の上端の支柱受７のスリット２１の幅より大きく、火袋掛１３の軸径は、支柱受７のスリット２１の幅より小さい。
【００３２】
次に、このような構成からなる提灯について、基台２と支柱３とに火袋１を取り付ける手順について説明する。
まず予め、図１に示すように、支柱３の下部支柱１０から上部支柱１１を取り外しておく。この状態で火袋１を上下にやや折り畳み気味にした状態で、下部支柱１０を火袋１の底部４からその中に挿入し、続いて火袋１の下端開口部５をやや変形させると共に、基台２をやや斜めに傾けながらその基台２を火袋１の下端開口部５から火袋１の中に挿入する。そして、基台２の周縁９が火袋１の下端開口部５に嵌め込まれた状態で落ち着くようにその姿勢を整える。
【００３３】
次に、支柱３の上部支柱１１を、火袋１の支柱受７の挿入孔２０を通して同火袋１の中に挿入し、その上部支柱１１の下端を下部支柱１０の上端に差し込む。続いて上部支柱１１を弾性部材１８の弾力に抗して押し込むと共に、火袋１を上に伸ばし、火袋掛１３の頭部１５を支柱受７の挿入孔２０からその上に突出させ、続いて、火袋掛１３の軸をスリット２１の奥に差し込む。この状態で上部支柱１１の押し込みを解除し、弾性部材１８の弾力でフランジ１４を火袋１の支柱受７に当て、その弾力で火袋１の支柱受７を上方につり上げることで、火袋１にテンションを与える。この状態では、火袋１の下端開口部５に基台２の周縁９が掛かり、火袋１に弾性部材１８でその縦方向に張力が与えられるため、火袋１が張られた状態となり、その形を維持することが出来る。
【００３４】
この提灯もまた、少なくとも中央部に突状曲面を有する基台２の底面１５を床に設置した状態で安定して自立出来るため、床置き形の提灯として使用することが出来る。使用時における灯火８の点滅操作は図１〜図５により前述した提灯と同じである。すなわち、主スイッチ５を閉じた（オンした）状体でセンサースイッチ１４の開閉動作により灯火８が点滅する。
【００３５】
火袋１を基台２と支柱３から分解するときは、前記とは逆の手順で行う。すなわち、火袋掛１３の軸をスリット２１から挿入孔２０側に移動させ、火袋１の支柱受７から支柱３の火袋掛１３を外す。その後、火袋１を下方に折り畳み気味にしながら、支柱３の下部支柱１０から上部支柱１１を抜く。続いて、火袋１の底部４をやや変形させると共に、基台２を火袋１の底部に対してやや斜めにしながら、基台２を火袋１の下部開口部５から取り出し、支柱３の下部支柱１０も取り出す。これにて図６の状態となる。火袋１は縦に折り畳み、基台２から下部支柱１０を取り外すとさらにコンパクトに分解することが出来る。
【産業上の利用可能性】
【００３６】
本発明による提灯は、簡単に組み立て、分解が可能であり、しかも床置き形として仮に傾動させても、その後自ずと原姿勢に復帰して自立するため、安定して設置することが出来る。これにより、葬祭用としてはもちろん、照明、広告、装飾等、様々な分野で簡便に且つ安全に使用出来る。
【図面の簡単な説明】
【００３７】
【図１】本発明による提灯の第一の実施例を示す基台と下部支柱を組み立て、上部支柱と火袋を分解した状態の縦断側面図である。
【図２】本発明による提灯の第一の実施例を示す基台、支柱及び火袋を組み立てた状態の縦断側面図である。
【図３】本発明による提灯の第一の実施例を示す基台及び火袋の底部を拡大した要部拡大縦断側面図である。
【図４】本発明による提灯の第一の実施例を示す支柱と火袋の上端部分を拡大した要部拡大縦断側面図である。
【図５】本発明による提灯の第一の実施例を示す支柱の下部支柱と上部支柱を継ぎ合わせた部分を拡大した要部拡大縦断面図である。
【図６】本発明による提灯の第二の実施例を示す基台と下部支柱を組み立て、上部支柱と火袋を分解した状態の縦断側面図である。
【図７】本発明による提灯の第二の実施例を示す基台、支柱及び火袋を組み立てた状態の縦断側面図である。
【図８】本発明による提灯の第二の実施例を示す支柱と火袋の上端部分を拡大した要部拡大縦断側面図である。
【図９】本発明による提灯の第二の実施例を示す支柱と火袋の上端部分を拡大した要部拡大平面図である。
【符号の説明】
【００３８】
１    火袋
２    基台
３    支柱
５    火袋の下端開口部
７    火袋の支柱受
９    基台の周縁
１０  下部支柱
１１  上部支柱
１３  支柱の火袋受
１８  支柱の弾性部材
【図１】
2011175944.tif 000003
【図２】
2011175944.tif 000004
【図３】
2011175944.tif 000005
【図４】
2011175944.tif 000006
【図５】
2011175944.tif 000007
【図６】
2011175944.tif 000008
【図７】
2011175944.tif 000009
【図８】
2011175944.tif 000010
【図９】
2011175944.tif 000011